(57)【要約】  物品（２）を患者の肌（３）に貼り付けるためのアプリケーター（１）であって、該アプリケーター（１）がライナー（４）、物品保持層（５）、及びアプリケーター層（６）を備えており、前記物品保持層（５）は、底面（７）及び上面（８）を有し、前記底面（７）及び前記上面（８）は、前記物品保持層（５）の周囲（９）によって境界決めされており、前記底面（７）は、前記物品（２）が前記物品保持層（５）に固定される物品保持領域（１０）と、第１の接着剤によって前記ライナー（４）上の表面に剥離可能に接着される接着剤領域（１１）と、を備えており、前記アプリケーター層（６）は、第２の接着剤によって、前記物品保持層（５）の前記上面（８）の第１の部分及びその周囲（９）のみに剥離可能に接着される表面（１３）を有し、前記第１の接着剤及び前記第２の接着剤は、前記アプリケーター層（６）及び前記第２の接着剤が前記物品保持層の前記周囲の第１の部分をカバーする領域において、前記アプリケーター層（６）が前記ライナー（４）から離れるように引っ張られる場合に、前記第１の接着剤が前記ライナーを剥離し、前記物品保持層が前記アプリケーター層に貼り付けられるように選択されている、アプリケーターにおいて、前記物品保持層（５）上の前記上面（８）の前記第１の部分（１８）は、前記アプリケーター層（６）に接着されており、前記物品保持領域（１０）の２つの対向する側に亘って少なくとも部分的に延在している、又は該２つの対向する側に少なくとも延在していることを特徴とする、アプリケーター。
2013508048.tif 000002
【特許請求の範囲】
【請求項１】
物品（２）を患者の肌（３）に貼り付けるためのアプリケーター（１）であって、
該アプリケーター（１）は、ライナー（４）、物品保持層（５）、及びアプリケーター層（６）を備えており、
前記物品保持層（５）は、底面（７）及び上面（８）を有し、前記底面（７）及び前記上面（８）は、前記物品保持層（５）の周囲（９）によって境界決めされており、
前記底面（７）は、前記物品（２）が前記物品保持層（５）に固定される物品保持領域（１０）と、第１の接着剤によって前記ライナー（４）上の表面に剥離可能に接着される接着剤領域（１１）と、を備えており、
前記アプリケーター層（６）は、第２の接着剤によって、前記物品保持層（５）の前記上面（８）の第１の部分（１４）及びその周囲（９）のみに剥離可能に接着される表面（１３）を有し、
前記第１の接着剤及び前記第２の接着剤は、前記アプリケーター層（６）及び前記第２の接着剤が前記物品保持層の前記周囲の第１の部分をカバーする領域において、前記アプリケーター層（６）が前記ライナー（４）から離れるように引っ張られる場合に、前記第１の接着剤が前記ライナーを剥離し、前記物品保持層が前記アプリケーター層に貼り付けられるように選択されている、アプリケーターにおいて、
前記物品保持層（５）上の前記上面（８）の前記第１の部分（１４）は、前記アプリケーター層（６）に接着されており、前記物品保持領域（１０）の２つの対向する側に亘って少なくとも部分的に延在している、又は該２つの対向する側に少なくとも延在していることを特徴とする、アプリケーター。
【請求項２】
前記物品（２）は、電極であることを特徴とする請求項１に記載のアプリケーター。
【請求項３】
前記電極は、導電ゲルを備えることを特徴とする請求項２に記載のアプリケーター。
【請求項４】
前記物品（２）は、包帯を備えることを特徴とする請求項１に記載のアプリケーター。
【請求項５】
前記物品（２）は、患者の治療のために適合されている化学物質を備えることを特徴とする請求項１又は３に記載のアプリケーター。
【請求項６】
前記アプリケーター層（６）は、前記アプリケーター層（６）から延在している第１の引張タブ（１６）を備え、該第１の引張タブ（１６）は、前記物品保持層（５）の前記周囲の前記第１の部分に接着されていることを特徴とする請求項１に記載のアプリケーター。
【請求項７】
前記アプリケーター層（６）は第２の引張タブ（１７）を備えており、該第２の引張タブ（１７）は、前記物品保持層の前記上面の前記第１の部分に接着される位置で前記アプリケーター層（６）から延在している、及び／又は、前記第１の引張タブ（１６）が延在している部分以外の前記物品保持層（５）の周囲の他の部分に接着している位置でアプリケーター層（６）から延在していることを特徴とする請求項６に記載のアプリケーター。
【請求項８】
前記物品保持領域の主な部分は、前記第１の引張タブ（１６）と前記第２の引張タブ（１７）との間に配置されることを特徴とする請求項７に記載のアプリケーター。
【請求項９】
前記物品保持層（５）の前記上面の前記第１の部分は、前記物品保持層（６）の前記上面（８）の残りの部分から境界によって分離されており、前記第２の引張タブ（１７）が、この境界から少なくとも部分的に延在していることを特徴とする請求項７又は８に記載のアプリケーター。
【請求項１０】
前記第１の引張タブ（１６）及び前記第２の引張タブ（１７）は、前記第２の引張タブ（１７）を引っ張る前に、前記第１の引張タブ（１６）を引っ張ることによって前記タブが使用されるべきであることを使用者に示すインジケータ、例えば数字で印付けされることを特徴とする請求項７〜９のいずれか一項に記載のアプリケーター。
【請求項１１】
前記アプリケーター層（６）の前記表面上の接着剤は、前記第１の引張タブ（１６）及び前記第２の引張タブ（１７）のうちの少なくとも１つの引張タブの領域で延在しており、カバー（１８，１９）がこの領域に接着されており、それによって、前記第１の引張タブ（１６）及び前記第２の引張タブ（１７）上の接着剤が前記物品保持層（５）又は前記ライナー（４）に接着していないことを特徴とする請求項６又は７に記載のアプリケーター。
【請求項１２】
前記ライナー（４）の前記表面（１２）は、前記物品保持層（５）上の前記第１の接着剤に対して容易に剥離する性質を提供する材料から製造されることを特徴とする請求項１〜１１のいずれか一項に記載のアプリケーター。
【請求項１３】
前記第１の接着剤及び前記第２の接着剤は、前記物品保持層（５）が患者の肌（３）に接着される場合に、前記物品保持層（５）から離れるように前記アプリケーター層（６）を引っ張る場合に前記第２の接着剤が前記アプリケーター層（６）を前記物品保持層（５）から剥離することを特徴とする請求項１〜１２のいずれか一項に記載のアプリケーター。
【請求項１４】
前記物品保持層（５）は、前記物品保持領域（１０）を備えている中央部分（２０）と、前記中央部分（２０）から外側に延在している複数のウィング（２１）と、を有することを特徴とする請求項１〜１３のいずれか一項に記載のアプリケーター。
【請求項１５】
前記物品保持層（５）の前記上面（８）の前記第１の部分（１４）は、前記物品保持層（５）の前記上面（８）の前記残りの部分から境界によって分離されており、前記複数のウィング（２１）の少なくとも１つは、前記物品保持層（５）の前記上面（８）の前記残りの部分の一部を形成することを特徴とする請求項１４に記載のアプリケーター。
【発明の詳細な説明】
【技術分野】
【０００１】
本願発明は、物品を患者の肌に貼り付けるためのアプリケーターに関する。
【０００２】
より具体的には、本願発明は、そのようなアプリケーターであって、ライナー、物品保持層、及びアプリケーター層を備えており、前記物品保持層が底面及び上面を有し、前記底面及び前記上面は、前記物品保持層の周囲によって境界決めされており、前記底面は、物品保持領域と、第１の接着剤によって前記ライナー上の表面に剥離可能に接着している接着領域と、を備えており、前記アプリケーター層は、前記物品保持層及びその周囲の表面の第１の部分のみをカバーする第２の接着剤によって、該物品保持層の上面に剥離可能に接着される表面を有し、前記第１の接着剤及び前記第２の接着剤は、第１の接着剤が前記ライナーを剥離するように選択されており、前記物品保持層は、前記アプリケーター層が、前記アプリケーター層及び前記第２の接着剤が前記物品保持層の周囲の前記第１の部分をカバーする領域において前記ライナーから引き離される場合に、前記アプリケーター層に貼り付けられる、アプリケーターに関する。
【背景技術】
【０００３】
導入部分で述べたアプリケーターに類似のアプリケーターの例は、特許文献１に開示されている。
【０００４】
この特許文献１には、患者が、物品を保持する接着包帯、例えば、喫煙者のためのニコチン又は心臓病患者のためのニトログリセリンなどの化学物質で処理されているガーゼパッド、を貼り付けることを可能にするパッケージ又はアプリケーターが開示されている。この特許文献１によるパッケージの使用は、一方の手のみを使用することによって、該包帯を貼り付ける可能性を提供する。
【先行技術文献】
【特許文献】
【０００５】
【特許文献１】米国特許第７，５２１，５８６号明細書
【発明の概要】
【発明が解決しようとする課題】
【０００６】
例えば、非常に敏感で、且つ平坦ではない肌を有する新生児の患者及びその他の患者のために使用されるように、改善された性質を有するアプリケーターを提供することは、本願発明の第１の態様である。
【課題を解決するための手段】
【０００７】
この態様は、請求項１の導入部分に記載されるようなアプリケーター、物品保持層上に上面の第１の部分をさらに有し、該第１の部分がアプリケーター層に接着されており、且つ前記物品保持領域の２つの対向する側部に少なくとも部分的に亘って、または２つの対向する側部に少なくとも延在している、アプリケーターによって提供される。
【０００８】
これによって、本願発明は、物品保持層の下に配置された物品が、物品保持層が患者の肌に対して貼り付けられるまで、アプリケーター層によって効果的に支持されており、その後、アプリケーター層が物品保持層から取り除かれることができることを確実にする。
【０００９】
それによって、敏感な肌、例えば新生児の敏感な肌に対して非常に優しく、且つ減少した剛性及び厚さを有する、物品保持層のための材料を選択することが可能である。それによって、不必要なしわを形成するリスクなしに、又は肌に貼り付ける前に物品保持層上の接着剤に損傷を与えることなく、物品を患者の肌に正確に貼り付けることは容易である。
【００１０】
好ましい実施形態において、物品保持層によって保持された物品は、患者の特定の身体状態（physical condition）を監視するために使用される電極である。この関連で、本願発明は、電極と患者の肌との間の良好な接触を維持することが必要であるので、非常に重要であり、それによって、監視の失敗のリスクが最小化される。
【００１１】
この関連で、電極との用語は、患者の肌の表面から他の場所へ、例えば導体を介して電流を伝導させるのに適切である全ての物品をカバーする。
【００１２】
上述した利点は、しかしながら、電極が所定の伸張（a certain extend）に対して可撓性であるように、電極が導電ゲル（electrically conducting gel）を備えている場合にさらに改善される。
【００１３】
本願発明はまた、物品が包帯のみを備えている状況において、及び特に物品が、患者を治療するための１つ以上の化学物質を備えている状況において、非常に有利である。それらの状況において、物品と患者の肌との間の安定し、且つ密閉した接触を確実にすることも、すなわち重要である。
【００１４】
好ましい実施形態において、アプリケーター層は、アプリケーター層から延在している第１の引張タブを備えており、該第１の引張タブが物品保持層の周囲の第１部分に接着される。この方法において、単一の手のみを使用することによって、さらに、物品保持層及びそれに適用された接着剤に対してしわ又は損傷を有する最小限のリスクとともに、物品保持層を患者の肌に貼り付けることは可能である。
【００１５】
この関連で、本願発明は、アプリケーター層が、物品保持層の上面の第１の部分に接着される位置で、アプリケーター層から延在している第２の引張タブを備える場合、及び／又は第１の引張タブが延在している部分以外の、物品保持層の周囲の他の部分に接着される位置で、アプリケーター層から延在している第２の引張タブを備える場合に、さらに有利である。
【００１６】
製造の目的で、本願発明は、物品保持領域の大部分が、第１の引張タブと第２の引張タブとの間に配置される場合に特に有利である。それによって、単一の層上に、並んで（side by side）３つ以上の保持層を配置することは、容易に可能である。
【００１７】
患者の肌に物品保持層を貼り付ける場合に、しわ及び損傷を形成するリスクは、物品保持層の上面の第１の部分が、物品保持層の上面の残りの部分から境界によって分離されている場合にさらに減少し、且つこの点において、第２の引張タブは、この境界から少なくとも部分的に延在している。これは、第２の引張タブを引っ張って取ることによって、物品保持層の周囲においてではなく、境界の領域で最初に引張力が生じることを提供し、それ故に、物品保持層が患者の肌から剥離するリスクを最小化する。
【００１８】
アプリケーターの正しい使用を確実にするために、そのうえ、例えば第１の引張タブ及び第２の引張タブ上のアプリケーターが、そのタブが第２の引張タブを引っ張る前に、第１の引張タブを引っ張ることによって使用されるべきであることを使用者に示すインジケータで、例えば数字で印付けされることは、特に有利である。
【００１９】
少なくとも１つの引張タブの領域で延在し、且つ同時にこの領域に接着されるカバーを有するアプリケーター層の表面に接着剤を有することによって、接着剤が、カバーが存在していない領域でアプリケーターの他の部分のみに貼り付けるであろうことは、確実にされており、それ故に、接着剤の正確な機能が得られ、それによって患者の肌に物品保持層を貼り付ける前に、物品保持層にしわ及び損傷を形成するリスクを伴って、アプリケーターの安全な処理をさらに確実にする。
【００２０】
同じ理由で、ライナーの表面が、物品保持層上の第１の接着剤に対して容易に剥離する性質を提供する材料から形成される場合に、及び／又は、物品保持層が患者の肌に接着される場合に、物品保持層から離れるようにアプリケーター層を引っ張る場合に第２の接着剤がアプリケーター層を物品保持層から剥離するように第１の接着剤及び第２の接着剤が選択される場合に、本願発明はさらに有利である。
【００２１】
物品保持層上にしわを形成するリスクは、それが、物品保持領域を備えている中央部分と、該中央部分から外側に延在している複数のウィングとを有する場合に、さらに減少する。
【００２２】
この関連で、且つ同じ目的で、物品保持層の上面の第１の部分は、物品保持層の上面の残りの部分から境界によって分離されることができ、複数のウィングの少なくとも１つは、物品保持層の上面の残りの部分の一部を形成することができる。
【００２３】
以下の説明において、本願発明は、添付した図面によって示される実施形態を参照して、より詳細に記載されるであろう。示された実施形態が例示の目的のみで使用されており、且つ本願発明の技術範囲を制限するために使用されるべきではないことは、強調されるべきである。
【図面の簡単な説明】
【００２４】
【図１】本願発明による３つのアプリケーターを備えるパッケージの完全な上面図を示す図である。
【図２】使用の異なる状態で示される、本願発明による同一のアプリケーターの概略的側面図である。
【図３】使用の異なる状態で示される、本願発明による同一のアプリケーターの概略的側面図である。
【図４】使用の異なる状態で示される、本願発明による同一のアプリケーターの概略的側面図である。
【図５】使用の異なる状態で示される、本願発明による同一のアプリケーターの概略的側面図である。
【図６】使用の異なる状態で示される、本願発明による同一のアプリケーターの概略的側面図である。
【発明を実施するための形態】
【００２５】
図１は、本願発明による３つの同一のアプリケーター１を備えるパッケージを示す。該パッケージは、全てのアプリケーターのためのライナー４として機能している単一のシートの形態であるライナー４を備える。該ライナー４は破線で図示されており、３つの保持層５はライナー４上に接着されており、保持層５のそれぞれは実線で示されるそれらの周囲９で図示されている。
【００２６】
各保持層４の上面には、鎖線で図示されるように、１つのアプリケーター層６が接着される。各アプリケーター層６は、鎖線２２と鎖線２３との間で保持層５の上面８に接着されており、それによって、アプリケーター層６の残りの部分は、第１の引張タブ１６と第２の引張タブ１７とを形成する。
【００２７】
物品保持層５は、中央部分２０によって形成されており、該中央部分２０において、物品２が物品保持層５に固定され、４つの側部には、中央領域２０から外側方向に延在しているウィング２１が存在する。それによって、物品保持層５は、物品保持層５上にしわを形成することなく、例えば、新生児の肌などの非常に平坦ではない表面に固定することを可能にする。
【００２８】
以下には、引張タブの機能がより詳細に記載されるけれども、図１では、第１の引張タブ１６及び第２の引張タブ１７がそれぞれ、使用者に指し示すために、数字１及び２によって番号付けされることが理解される。この構成において、初めに、第１に保持層５をライナー４から剥離させるために、使用者がパッケージから離れるように第１の引張タブ１６を引っ張り、その後、物品保持層が例えば患者の肌に接着された後に、第２の引張タブ１７が物品保持層５から離れるように引っ張れることができ、それによってアプリケーター層６が物品保持層５引っ張れて取られる。
【００２９】
図１に示された実施形態において、物品保持層５は、例えば、患者の特定の身体状態を監視するための電極の形態である物品２を保持する。しかしながら、アプリケーター１の同一の設計及び構造を正確に使用することは可能であるが、それにおいて、電極の変わりに、物品２は、患者を治療するためのガーゼシート又は化学物質を備えることも可能である。
【００３０】
以下の図２〜図６において、本願発明による一のアプリケーターの概略的な側面図が示される。
【００３１】
図２において、アプリケーターは、すぐに使用できる状態で示されており、該状態において、ライナー４が最下層のシートとして示されており、該ライナー４は物品保持層５に面する表面１２を有する。ライナーは、物品保持層５の底面７とライナーの表面１０との間に配置された第１の接着剤（図示せず）を剥離する材料から製造される、又は該材料によってカバーされる。そして、物品保持層の上面８で、アプリケーター層６は、第２の接着剤（図示せず）によって、鎖線２２及び２３の間で物品保持層５に接着される。
【００３２】
本願発明の原理を容易に理解する目的のために、物品２は、図２〜６において示されていないが、本願発明によれば、物品２の大部分は、物品保持層５の底面１０に固定されており、それによって、物品の大部分が鎖線２２及び２３の間に位置している。
【００３３】
製造の理由のために、且つ接着剤が効果的であることを確実にするために、第２の接着剤は、アプリケーター層の全表面１３に亘って分散される。それ故に、第１の引張タブ１６及び第２の引張タブ１７が他のものに接着しないことを確実にするために、カバー１８及び１９は、それらの領域をカバーする代わりに、接着される。
【００３４】
図３において、アプリケーターは、矢印で図示されるように、第１の引張タブ１６がライナー４から離れるように持ち上げられる状況においてここより後に理解され、それ故に、ライナー４の表面１２が物品保持層５上の第１の接着剤を剥離するので、物品保持層５は、ライナー４から持ち上げられる。
【００３５】
ライナー４から離れるように第１の引張タブ１６をさらに引っ張ることによって、図４に示されるような状況が生じ、図４の状況において、ほとんど全ての物品保持層５がライナー４から剥離されることが理解され得る。
【００３６】
上述したように、物品２（図示せず）は、図２の鎖線の間に主に位置する。これは、図４に示されるような状況における同一の物品２が物品保持層５によって保持されるが、同様にアプリケーター層６によっても保持され、それによって、物品２を保持するものが物品保持層５のみではないことを意味する。これは、この層の強度が、必ずしも物品２を単独で保持するのに十分とされる必要がないので、物品保持層のための材料を選択するための大きな自由度を提供する。同時に、アプリケーター層は、物品保持層を平坦な状態に保つことを支援しており、それによって、物品保持層及び第１の接着剤に対するしわ又は損傷を形成するリスクを最小限にする。
【００３７】
物品保持層５をライナー４から完全に剥離した後で、物品保持層は、一方の手のみを使用することによって、使用者によって容易に処理されることができ、物品保持層は、使用者がまさに物品保持層から離れるように第２の引張タブを引っ張る図５に示されるように、例えば患者の肌３に移動することができる。それによって、物品保持層は、接着剤の選択の結果として肌に貼り付けられ、本願発明の基本的な原理に起因して物品保持層５の大部分が、物品保持層５に適用された引張力が集中する領域の両側に位置する。
【００３８】
貼り付けプロセスの最終的な結果は図６に示されており、図６において、アプリケーター層６が物品保持層５から離れるように完全に引っ張られ、それによって、患者の肌３上に残された部分は、物品保持層５及び物品２（図示せず）のみである。
【００３９】
他の実施形態が本願明細書の教示から推論できること及び、それらの実施形態が保護の技術的範囲内に含まれるべきであることは、当業者に対して明らかであろう。例えば、例えば円形、長楕円形、又は矩形とされる場合があるように、物品保持層の周囲の形状を変更することが可能である。さらに、上述したような機能を実現するであろう接着剤とライナー４及び層５及び６のための材料との複数の異なるあらゆる組み合わせが存在することは、当業者に対して明らかである。
【符号の説明】
【００４０】
１  アプリケーター
２  物品
４  ライナー
５  物品保持層、保持層
６  アプリケーター層
７  底面
８  上面
９  周囲
１０  表面、底面
１２  表面
１３  全表面
１６  第１の引張タブ
１７  第２の引張タブ
１８  カバー
１９  カバー
２０  中央部分
２１  ウィング
２２  鎖線
２３  鎖線
【図１】
2013508048.tif 000003
【図２】
2013508048.tif 000004
【図３】
2013508048.tif 000005
【図４】
2013508048.tif 000006
【図５】
2013508048.tif 000007
【図６】
2013508048.tif 000008
【国際調査報告】
2013508048.tif 000009
2013508048.tif 000010